(57)【要約】      （修正有）【課題】デザインと色が変化に富み、かつ加工が容易なアクセサリーチェーンの構造を提供する。【解決手段】アクセサリーチェーンの構造は、多数のアクセサリーパーツ１、多数の連結パーツ２が相互に直列接続して組み合わせてなり、各アクセサリーパーツ１は、対称形状を呈する１組のハーフアクセサリーパーツ１１が相互に対応して接続し、超音波加工により結合してなり、各ハーフアクセサリーパーツ１１の両端には、共に相互に対称な半欠口１１１１を形成し、各ハーフアクセサリーパーツ１１を対応接続して組合せ後は孔１１１を形成し、各２個のアクセサリーパーツ１の間は、連結パーツ２により、相互に嵌合して連結し、連結パーツ２の両端には、拡大部２１を形成し、これによりその両端は、アクセサリーパーツ１の孔内にそれぞれ入り、こうして多数のアクセサリーパーツ１を直列接続し、チェーン形態を形成する。【選択図】図１
0003163149.tif 000002
【実用新案登録請求の範囲】
【請求項１】
多数のアクセサリーパーツ、多数の連結パーツが相互に直列接続して組み合わせてなり、前記各アクセサリーパーツは、対称形状を呈する１組のハーフアクセサリーパーツが相互に対応して接続し、超音波加工により結合してなり、
前記各ハーフアクセサリーパーツの両端には、共に相互に対称な半欠口を形成し、前記各ハーフアクセサリーパーツを、対応接続して組み合わせた後は、その両端に、孔をそれぞれ形成し、
前記各２個のアクセサリーパーツの間は、連結パーツにより、相互に嵌合して連結し、
前記連結パーツの両端には、拡大部を形成し、これによりその両端は、前記アクセサリーパーツの孔内にそれぞれ入り、こうして多数のアクセサリーパーツを直列接続し、チェーン形態を形成することを特徴とするアクセサリーチェーンの構造。
【請求項２】
前記アクセサリーパーツは、プラスチック材料により製造することを特徴とする請求項１に記載のアクセサリーチェーンの構造。
【請求項３】
前記連結パーツは、プラスチック材料により製造することを特徴とする請求項１に記載のアクセサリーチェーンの構造。
【請求項４】
前記アクセサリーパーツは、各種形状の対称を呈するハーフアクセサリーパーツを相互に結合してなることを特徴とする請求項１に記載のアクセサリーチェーンの構造。
【考案の詳細な説明】
【技術分野】
【０００１】
本考案はアクセサリーチェーンの構造に関し、特に多数のアクセサリーパーツ及び多数の連結パーツを相互に直列接続して組み合わせてなり、各アクセサリーパーツは、対称形状を呈する１組のハーフアクセサリーパーツが相互に対応して接続し、超音波加工により結合してなるアクセサリーチェーンの構造に関する。
【背景技術】
【０００２】
図９〜１２に示すように、従来の金属チェーンにおいて、チェーン部６、８は、先ず、金属材料を必要な形状、及び一部が連接する平面の対応接続部６１、８１にプレス成型する。次に、第二次プレス加工を行い、立体状態の対応接続部６１、８１を形成し、同時に、各対応接続部６１、８１の両端に、半欠口６１１１、８１１１を形成する。両端に拡大部７１を備える連接パーツ７を、各２個の対応接続部６１、８１の半欠口６１１１、８１１１間に跨がせて設置し、さらに、２個の成型した対応接続部６１、８１を湾曲させて対応接続し、完全な形状のチェーン部６、８を形成する。こうして、各２個の半欠口６１１１、８１１１が対応接続して形成する孔６１１、８１１により、連結パーツ７の拡大部７１を嵌合し、金属チェーンを形成する。しかし、このタイプの金属チェーンは、加工工程が煩雑で、しかも金属材料を採用するため、その生産コストと材料コストは共に高く、かつ加工が容易ではないため、多様な形状のチェーン部６、８を成型する際には、極めて困難であり、しかも多種の色変化を持たせることは不可能である。よって、実用性が低く、広く普及させることができない。本考案は、従来のアクセサリーチェーンの構造の上記した欠点に鑑みてなされたものである。
【考案の概要】
【考案が解決しようとする課題】
【０００３】
本考案が解決しようとする課題は、対称形状を呈する１組のハーフアクセサリーパーツが相互に対応して接続し、超音波加工により結合してなり、多数のアクセサリーパーツ及び多数の連結パーツを相互に直列接続し組合せてなり、生産及び加工を迅速化でき、コストが低く、デザインと色が変化に富むアクセサリーチェーンの構造を提供することである。
【課題を解決するための手段】
【０００４】
上記課題を解決するため、本考案は下記のアクセサリーチェーンの構造を提供する。
アクセサリーチェーンの構造は、多数のアクセサリーパーツ、多数の連結パーツが相互に直列接続して組み合わせてなり、
該各アクセサリーパーツは、対称形状を呈する１組のハーフアクセサリーパーツが相互に対応して接続し、超音波加工により結合してなり、
該各ハーフアクセサリーパーツの両端には、共に相互に対称な半欠口を形成し、該各ハーフアクセサリーパーツを対応接続して組合せ後は孔を形成し、
該各２個のアクセサリーパーツの間は、連結パーツにより、相互に嵌合して連結し、該連結パーツの両端には、拡大部を形成し、これによりその両端は、該アクセサリーパーツの孔内にそれぞれ入り、こうして多数のアクセサリーパーツを直列接続し、チェーン形態を形成する。
【考案の効果】
【０００５】
本考案のアクセサリーチェーンの構造は、対称形状を呈する１組のハーフアクセサリーパーツが相互に対応して接続し、超音波加工により結合してなり、多数のアクセサリーパーツ及び多数の連結パーツを相互に直列接続して組み合わせてなり、生産及び加工を迅速化でき、コストが低く、デザインと色が変化に富む。
【図面の簡単な説明】
【０００６】
【図１】本考案の局部立体分解図である。
【図２】図１の構造が形成するチェーンの立体図である。
【図３】図１の構造を異なる形状に成型した本考案の局部立体分解図である。
【図４】図３の構造が形成するチェーンの立体図である。
【図５】星型を呈するアクセサリーパーツが形成するチェーンの局部立体図である。
【図６】星型を呈するアクセサリーパーツが形成するチェーンを実際に身に着けた時の実施例図である。
【図７】ハート型を呈するアクセサリーパーツが形成するチェーンの立体図である。
【図８】ハート型を呈するアクセサリーパーツが形成するチェーンを実際に身に着けた時の実施例図である。
【図９】従来の金属チェーンの加工ステップ図である。
【図１０】従来の金属チェーンの加工ステップ図である。
【図１１】別種の従来の金属チェーンの加工ステップ図である。
【図１２】別種の従来の金属チェーンの加工ステップ図である
【考案を実施するための形態】
【０００７】
以下に図面を参照しながら本考案を実施するための最良の形態について詳細に説明する。
【実施例】
【０００８】
本考案アクセサリーチェーンの構造は、図１、２に示すように、多数のアクセサリーパーツ１、多数の連結パーツ２が相互に直列接続して組み合わせてなる。各アクセサリーパーツ１は、対称形状を呈する１組のハーフアクセサリーパーツ１１が相互に対応して接続し、超音波加工により結合してなる。各ハーフアクセサリーパーツ１１の両端には、共に相互に対称な半欠口１１１１を形成し、各ハーフアクセサリーパーツ１１を、対応接続して組合せ後は、その両端には、孔１１１をそれぞれ形成する。各２個のアクセサリーパーツ１の間は、連結パーツ２により、相互に嵌合して連結する。連結パーツ２の両端には、拡大部２１を形成し、これによりその両端は、アクセサリーパーツ１の孔１１１内にそれぞれ入り、こうして多数のアクセサリーパーツ１を直列接続し、チェーン形態を形成することができる。アクセサリーパーツ１及び連結パーツ２は、プラスチック材料により製造することができ、しかもアクセサリーパーツ１は、各種形状の対称なハーフアクセサリーパーツ１１とし、相互に結合させる。
【０００９】
図３、４に示すように、細長い形状を呈するアクセサリーパーツ３の実施例では、多数のアクセサリーパーツ３、多数の連結パーツ２が相互に直列接続して組み合わせてなる。各アクセサリーパーツ３は、対称形状を呈する１組のハーフアクセサリーパーツ３１が相互に対応して接続し、超音波加工により結合してなる。各ハーフアクセサリーパーツ３１の両端には、共に相互に対称な半欠口３１１１を形成し、各ハーフアクセサリーパーツ３１を、対応接続して組合せ後は、その両端には、孔３１１をそれぞれ形成する。各２個のアクセサリーパーツ３の間は、連結パーツ２により、相互に嵌合して連結し、チェーン形態を形成することができる。
【００１０】
図５〜８に示すように、星型を呈するアクセサリーパーツ４、ハート形を呈するアクセサリーパーツ５の実施例では、多数のアクセサリーパーツ４、５、多数の連結パーツ２が相互に直列接続し組み合わせてなる。各アクセサリーパーツ４、５は、対称形状を呈する１組のハーフアクセサリーパーツ４１、５１が相互に対応して接続し、超音波加工により結合してなる。各ハーフアクセサリーパーツ４１、５１の両端には、共に相互に対称な半欠口４１１１、５１１１を形成し、各ハーフアクセサリーパーツ４１、５１を、対応接続して組合せ後は、その両端には、孔４１１、５１１をそれぞれ形成し、さらに連結パーツ２により、相互に嵌合して連結し、チェーン形態を形成することができる。
【００１１】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００１２】
本考案は実用新案の要件である新規性を備え、従来の同類製品に比べ十分な進歩を有し、実用性が高く、社会のニーズに合致しており、産業上の利用価値は非常に大きい。
【符号の説明】
【００１３】
１、３、４、５  アクセサリーパーツ
１１、３１、４１、５１  ハーフアクセサリーパーツ
１１１、３１１、４１１、５１１、６１１、８１１  孔
１１１１、３１１１、４１１１、５１１１、６１１１、８１１１  半欠口
２、７  連結パーツ
２１、７１  拡大部
６、８  チェーン部
６１、８１  対応接続部
【図１】
0003163149.tif 000003
【図２】
0003163149.tif 000004
【図３】
0003163149.tif 000005
【図４】
0003163149.tif 000006
【図５】
0003163149.tif 000007
【図６】
0003163149.tif 000008
【図７】
0003163149.tif 000009
【図８】
0003163149.tif 000010
【図９】
0003163149.tif 000011
【図１０】
0003163149.tif 000012
【図１１】
0003163149.tif 000013
【図１２】
0003163149.tif 000014